(57)【特許請求の範囲】
【請求項１】
被検眼に対する検眼測定ユニットのアライメントを自動的に実行する自動アライメント機構と、被検者自身が被検眼に対する検眼測定ユニットのアライメントを手動で行う手動アライメント手段と、
自動アライメントが実行可能であるか否かを判断する判断手段とを有する検眼装置。
【請求項２】
自動アライメントが実行可能と判断されたときに、自動アライメントが実行可能なことを被検者に知得させる知得手段が設けられていることを特徴とする請求項１に記載の検眼装置。
【請求項３】
自動アライメントが実行不可能と判断されたときに、自動アライメントが実行不可能であり、手動操作で粗アライメントを行うことが必要である旨を被検者に伝達する伝達手段が設けられていることを特徴とする請求項１に記載の検眼装置。
【請求項４】
手動操作による被検眼に対する検眼測定ユニットの位置合わせに基づき自動アライメントが実行可能と判断されたときに、自動アライメントを実行不可能な状態から自動アライメントを実行可能な状態に移行したことを被検者に知得させる知得手段が設けられていることを特徴とする請求項３に記載の検眼装置。
【請求項５】
前記判断手段が、額当て又は顎受けに設けられた感知センサ或いは自動アライメントが実行可能であるか否かの判断を開始させるスタートボタンであることを特徴とする請求項１に記載の検眼装置。
【請求項６】
自動アライメントがどのようなものであるかを被検者に説明して知得させる知得手段が設けられていることを特徴とする請求項１に記載の検眼装置。
【請求項７】
被検者が顧客カードを所有している場合には、顧客カードにアライメント情報を記憶させ、顧客カードに記憶されているアライメント情報をカードリーダーに読みとらせて、このアライメント情報に基づいて検眼測定ユニットを初期位置にセットすることを特徴とする請求項１に記載の検眼装置。
【発明の詳細な説明】
【０００１】
【発明の属する技術分野】
この発明は、被検者自身が自ら検眼測定を行う際のアライメントを容易に行うことができるようにした検眼装置に関するものである。
【０００２】
【従来の技術】
従来から、検眼装置には、被検眼に対して装置本体を自動的にアライメント機構を有するものが知られている。
【０００３】
この種の検眼装置は、熟練した検者が検眼装置を手動で操作して、被検眼に対して装置本体を自動アライメントが実行可能な範囲にまで追い込んで、装置本体に自動アライメントを実行させる構成となっている。
【０００４】
しかしながら、近時は、経営の効率化、コスト削減の観点から、サービス店員の無人化、人員削減を図る眼鏡店が増えており、その一環として、被検者自身に検眼測定を行わせてみてはどうかという試みが為されつつある。
【０００５】
【発明が解決しようとする課題】
ところが、被検者が検眼装置の各部の名称、操作の方法の概要を仮りに知得できたとしても、被検者は通常この種の検眼装置に対して全くの素人で不慣れなものであり、測定の前提としての装置本体に対する被検眼のアライメントの段階でつまづく場合が多いと考えられる。
【０００６】
とくに、自動アライメントは、被検眼に対して自動アライメントを実行できる範囲はシビアーであり、例えば、被検眼の視軸に対する装置本体の光軸のズレ量が上下左右方向で４ｍｍ以内にないと自動アライメントが実行されず、検者をもってしても熟練を要するところ、被検者は全くの素人であるので、このアライメントをどのようにしてスムーズに行わせるかが、検眼測定を被検者自身に行わせるためのキーポイントとなっている。
【０００７】
本発明は、上記の事情に鑑みて為されたもので、被検者自身に検眼測定を行わせるためのキーポイントとなるアライメントを容易に知得させるようにすることのできる検眼装置を提供することを目的とする。
【０００８】
【課題を解決するための手段】
請求項１に記載の検眼装置は、被検眼に対する検眼測定ユニットのアライメントを自動的に実行する自動アライメント機構と、被検者自身が被検眼に対する検眼測定ユニットのアライメントを手動で行う手動アライメント手段と、
自動アライメントが実行可能であるか否かを判断する判断手段とを有することを特徴とする。
【０００９】
請求項２に記載の検眼装置は、自動アライメントが実行可能と判断されたときに、自動アライメントが実行可能なことを被検者に知得させる知得手段が設けられていることを特徴とする。
【００１０】
請求項３に記載の検眼装置は、自動アライメントが実行不可能と判断されたときに、自動アライメントが実行不可能であり、手動操作で粗アライメントを行うことが必要である旨を被検者に伝達する伝達手段が設けられていることを特徴とする。
【００１１】
請求項４に記載の検眼装置は、手動操作による被検眼に対する検眼測定ユニットの位置合わせに基づき自動アライメントが実行可能と判断されたときに、自動アライメントを実行不可能な状態から自動アライメントを実行可能な状態に移行したことを被検者に知得させる知得手段が設けられていることを特徴とする。
【００１２】
請求項５に記載の検眼装置は、前記判断手段が、額当て又は顎受けに設けられた感知センサ或いは自動アライメントが実行可能であるか否かの判断を開始させるスタートボタンであることを特徴とする。
【００１３】
請求項６に記載の検眼装置は、自動アライメントがどのようなものであるかを被検者に説明して知得させる知得手段が設けられていることを特徴とする。
【００１４】
請求項７に記載の検眼装置は、被検者が顧客カードを所有している場合には、顧客カードにアライメント情報を記憶させ、顧客カードに記憶されているアライメント情報をカードリーダーに読みとらせて、このアライメント情報に基づいて検眼測定ユニットを初期位置にセットすることを特徴とする。
【００１５】
【発明の実施の形態】
以下、この発明の実施の形態を図面に基づいて説明する。
【００１６】
図１において、１は高さが上下調節可能な検眼テーブル、２は検眼テーブル１上に配設された眼屈折力測定装置、３は検眼椅子、４は検眼椅子３に着座した被検者である。
【００１７】
眼屈折力測定装置２は、図１〜図７に示したように、起立部５ａ及び上部の水平部５ｂから逆Ｌ字状に形成されたボックス本体５と、この起立部５ａの正面の左右両側部に一体に設けられ且つ手前側に延びる扁平支持部６，７を有する。また、眼屈折力測定装置２は、左の扁平支持部６に設けられたカーソルキー（カーソル釦）８，９，１０，１１と、右の扁平支持部７に設けられたジョイステックレバー１２を有する。このジョイステックレバー１２の上端部には撮影スイッチ１２ａが設けられている。
【００１８】
更に、眼屈折力測定装置２は、水平部５ａの中央部の下面に下方に向けて取り付けられたステー１３と、ステー１３に突設された支持軸１４と、支持軸１４に取り付けられた円弧状の額当１５と、額当１５の左右にそれぞれ配設された左眼屈折力測定ユニット（検査ユニット）１６Ｌ及び右眼屈折力測定ユニット（検査ユニット）１６Ｒを有する。
【００１９】
この眼屈折力測定ユニット１６Ｌ，１６Ｒは、三次元方向に駆動可能な支持手段１７Ｌ，１７Ｒでそれぞれ水平部５ａに支持されている。この支持手段１７Ｌは水平部５ａ内に配設された三次元駆動装置（三次元駆動機構）１８Ｌと、三次元駆動手段である三次元駆動装置１８Ｌの下方に配設された水平回転装置（水平回転駆動装置）１９Ｌを有する。また、支持手段１７Ｒは水平部５ａ内に配設された三次元駆動装置（三次元駆動機構）１８Ｒと、三次元駆動手段である三次元駆動装置１８Ｒの下方に配設された水平回転装置（水平回転駆動装置）１９Ｒを有する。
＜三次元駆動装置＞
三次元駆動装置（三次元駆動手段）１８Ｌ，１８Ｒは、パルスモータや油圧シリンダ等を用いて支持軸２０ａを上下駆動する様にしたＹ（上下）方向駆動装置（駆動手段）２０と、支持軸２０ａの下端に取り付けられたＹ（上下）方向移動支持部材２１と、Ｙ方向移動支持部材２１にＺ（前後）方向に移動可能に取り付けられたＺ（前後）方向移動支持部材２２と、Ｚ方向移動支持部材２２にＸ（左右）方向に移動可能に取り付けられたＸ（左右）方向移動支持部材２３を有する。
【００２０】
そして、図８に示したように、Ｚ方向移動支持部材２２は、Ｙ方向移動支持部材２１に取り付けられたパルスモータ等のＺ方向駆動装置（駆動手段）２４と、Ｚ方向駆動装置２４により回転駆動される送りネジ２５によりＺ（前後）方向に進退駆動させられる様になっている。また、Ｘ方向移動支持部材２３は、Ｚ方向移動支持部材２２に取り付けられたパルスモータ等の左右方向駆動装置（駆動手段）２６と、パルスモータ２６により回転駆動される送りネジ２７によりＸ（左右）方向に進退駆動させられる様になっている。
＜水平回転装置＞
また、水平回転装置（水平回動手段）１９Ｌ，１９Ｒは、三次元駆動装置１８Ｌ，１８ＲのＸ移動支持部材２３，２３の中央に固定されたパルスモータ等の水平回転駆動装置（輻輳駆動手段）２８，２８と、パルスモータ２８，２８により鉛直軸を中心に回転駆動される回転軸２９，２９をそれぞれ有する。そして、この回転軸２９，２９には、左眼屈折力測定ユニット１６Ｌ及び右眼屈折力測定ユニット１６Ｒが固定されている。
＜検眼測定ユニットとしての眼屈折力測定ユニット＞
左眼屈折力測定ユニット１６Ｌ及び右眼屈折力測定ユニット１６Ｒは、一部を省略した以外は構成が略同じであるので、まず左眼屈折力測定ユニット１６Ｌの測定光学系について説明する。
（ａ）左眼屈折力測定ユニット１６Ｌの測定光学系及びその制御系
この左眼屈折力測定ユニット１６Ｌの測定光学系は、図９，図１０，図１１に示した前眼部撮影光学系３０Ｌと、ＸＹアライメント光学系３１Ｌと、固視光学系３２Ｌと、屈折力測定光学系３３Ｌを有する。尚、右眼屈折力測定ユニット１６Ｒの測定光学系は、図９，図１２，図１３に示したように前眼部撮影光学系３０Ｒと、ＸＹアライメント光学系３１Ｒと、固視光学系３２Ｒと、屈折力測定光学系３３Ｒを有する。
（前眼部撮影光学系３０Ｌ）
前眼部撮影光学系３０Ｌは、前眼部照明光学系３４と、撮影光学系３５を有する。
【００２１】
前眼部照明光学系３４は、前眼部照明用の光源３６と、絞り３６ａと、光源３６からの光を被検眼Ｅの前眼部に投影する投影レンズ３７を有する。
【００２２】
また、撮影光学系３５は、被検眼Ｅの前眼部からの反射光が入射するプリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５，ＣＣＤ（撮像手段）４６をこの順に有する。
（ＸＹアライメント光学系３１Ｌ）
ＸＹアライメント光学系３１Ｌは、アライメント照明光学系４７と、撮影光学系３５をアライメント受光光学系として有する。アライメント照明光学系４７は、図１０に示したように、アライメント用の照明光源４８、アライメント視標としての絞り４９、リレーレンズ５０、ダイクロイックミラー４１、絞り４０，ダイクロイックミラー３９，対物レンズ３８，プリズムＰをこの順に有する。
（固視光学系３２Ｌ）
固視光学系３２Ｌは、固視標や自覚式検眼用のチャート等を表示させる液晶表示器（表示手段）５３，反射ミラー５４，コリメータレンズ５５，反射ミラー５６，移動レンズ５７，リレーレンズ５８，５９，反射ミラー６０，ダイクロイックミラー６１，３９，対物レンズ３８及びプリズムＰをこの順に有する。
【００２３】
この固視標光学系３２Ｌ、は被検眼の屈折力に合わせて移動レンズ５７がパルスモータＰＭａにより光軸方向に移動可能となっていて、固視雲霧させることができる。
（屈折力測定光学系３３Ｌ）
屈折力測定光学系３３Ｌは、測定光束投影光学系６２及び測定光束受光光学系６３を有する。
【００２４】
測定光束投影光学系６２は、赤外ＬＥＤ等の測定用光源６４，コリメータレンズ６５，円錐プリズム６６，リング視標６７，リレーレンズ６８，リング状絞り６９，中央に透孔７０ａが形成された穴あきプリズム７０，ダイクロイックミラー６１，３９、対物レンズ３８及びプリズムＰをこの順に有する。
【００２５】
また、測定光束受光光学系６３は、被検眼Ｅの眼底Ｅｆからの反射光を受光するプリズムＰ，対物レンズ３８，ダイクロイックミラー３９，６１，穴あきプリズム７０の透孔７０ａ，反射ミラー７１，リレーレンズ７２，移動レンズ７３，反射ミラー７４，ダイクロイックミラー４４，ＣＣＤレンズ４５，ＣＣＤ４６をこの順に有する。
【００２６】
この右眼屈折力測定ユニット１６Ｒの測定光学系は左眼屈折力測定ユニット１６Ｌの測定光学系と全く同じであるので、その説明は省略する。
（左眼屈折力測定ユニット１６Ｌの制御回路）
上述した駆動装置２０，２４，２６，２８や前眼部観察用の光源３６，固視標用光源５１，測定用光源６４及びパルスモータＰＭａ等は、図１４に示した演算制御回路６２により作動制御されるようになっている。また、演算制御回路６２には、ＣＣＤからの検出信号が入力されるようになっている。
（ｂ）右眼屈折力測定ユニット１６Ｒの測定光学系及びその制御系
右眼屈折力測定ユニット１６Ｒは、上述したように左眼屈折力測定ユニット１６Ｌと構成が同じである。
＜全体の制御回路＞
全体の制御回路は、図１４に示したように上述の眼屈折力測定ユニット１６Ｌ，１６Ｒの制御回路６２，６２と、制御回路６２，６２を制御する演算制御回路６３を有する。この演算制御回路６３には、撮影スイッチ１２ａ及びジョイステックレバー１２の前後・左右への傾動操作を検出する傾動検出センサ１２ｂ、ジョイステックレバー１２の軸線回りへの回動操作を検出する回転センサ１２ｃが接続されている。また、演算制御回路６３には、液晶表示器等の表示装置（表示手段）６４が接続されている。この液晶表示器６４は、ボックス本体５の手前側に図１の如く配設して使用される。
【００２７】
次に、この様な構成の眼屈折力検査装置の使用状態を説明する。
(1)眼屈折力測定ユニットの高さ調節等
被検者４が図１の如く椅子３に着座して、眼屈折力測定ユニット１６Ｌ，１６ＲのプリズムＰ，Ｐの高さが被検者４の眼の高さになるように、検眼テーブル１の高さを図示しない上下駆動手段で上下に調整する。この様な検眼テーブル１の上下駆動機構は周知のものが採用できるので、詳細な説明は省略する。
(2)遠方視状態における左右眼へのアライメント
次に、被検者４が眼屈折力測定装置２の図示を省略した電源を投入すると、演算制御回路表示装置６４に使用手順が順次表示される。被検者４は、この使用手順に従って検眼を進める。
【００２８】
また、この際、演算制御回路６３は、眼屈折力測定ユニット１６Ｌ，１６Ｒの演算制御回路６２，６２を作動制御して、被検者４の左眼ＥＬ，右眼ＥＲに対するアライメント動作の準備を開始させる。即ち、眼屈折力測定ユニット１６Ｌ，１６Ｒの各演算制御回路６２，６２は、眼屈折力測定ユニット１６Ｌ，１６Ｒの前眼部観察用光源３６，アライメント用の照明光源４８，固視標用光源５１を点灯させる。
【００２９】
また、眼屈折力測定ユニット１６Ｌ，１６Ｒの演算制御回路６２，６２は、演算制御回路６３からの制御信号に基づいて水平回転駆動装置２８，２８を作動制御して、眼屈折力測定ユニット１６Ｌ，１６ＲのプリズムＰ，Ｐから被検者４側に向かう光軸ＯＬ，ＯＲを図９及び図１５に示したように平行にする。
【００３０】
この様な状態において、被検者４が左右両眼の眼屈折力を測定する場合には、測定前に被検者４は額を額当１５に当接させて、被検者４の左右眼の光軸が眼屈折力測定ユニット１６Ｌ，１６ＲのプリズムＰ，Ｐの中心位置（光軸ＯＬ，ＯＲ）に来るように、眼屈折力測定ユニット１６Ｌ，１６Ｒを左右・上下に移動操作することにより、ＸＹアライメントを行う。
(i)左眼屈折力測定ユニットの左眼ＥＬに対するアライメント
(a).眼屈折力測定ユニット１６Ｌの左眼ＥＬに対するＸＹアライメント
この際、ＸＹアライメントについて演算制御回路６３は、左眼屈折力測定ユニット１６ＬのＸＹアライメントを先に行うように設定されている。即ち、演算制御回路６３は、まず、左眼屈折力測定ユニット１６Ｌの駆動装置（自動アライメント機構の一部）２０，２６をジョイステックレバー１２で駆動操作できるように制御する。  この際、眼屈折力測定ユニット１６Ｌの前眼部照明用の光源３６からの照明光は絞り３６ａ及び投影レンズ３７を介して被検眼ＥＬの前眼部に投影され、眼屈折力測定ユニット１６Ｒの前眼部照明用の光源３６からの照明光は絞り３６ａ及び投影レンズ３７を介して被検眼ＥＬの前眼部に投影されている。
【００３１】
そして、左眼ＥＬの前眼部からの反射光は、プリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６投影され、図１８の如くＣＣＤ４６に左眼ＥＬの前眼部像ＥＬ′を結像する。また、演算制御回路６２は、ＣＣＤ４６からの出力信号を基に左眼ＥＬの前眼部像ＥＬ′を図１９の如く液晶表示器５３に表示させる。
【００３２】
一方、ＸＹアライメント用の照明光源４８からのアライメント光束は、アライメント視標としての絞り４９、リレーレンズ５０、ダイクロイックミラー４１、絞り４０，ダイクロイックミラー３９，対物レンズ３８，プリズムＰを介して被検者の左眼ＥＬの角膜ＣＬに投影されている。そして、角膜ＣＬからの反射光は、プリズムＰ，対物レンズ３８，ダイクロイックミラー３９，絞り４０，ダイクロイックミラー４１，リレーレンズ４２，４３，ダイクロイックミラー４４，ＣＣＤレンズ（結像レンズ）４５を介してＣＣＤ（撮像手段）４６に結像され、角膜ＣＬからの輝点像ＥＰを図１８の如くＣＣＤ４６上に形成する。しかも、演算制御回路６２は、ＣＣＤ４６からの出力信号を基に左眼ＥＬの前眼部像ＥＬ′と共に輝点像ＥＰを図１８の如く液晶表示器５３に重ねて表示させる。尚、ＣＲは被検者の右眼ＥＬの角膜である。
【００３３】
この状態で、被検者４が額を額当１５に当接させた状態で被検者４の左眼ＥＬが眼屈折力測定ユニット１６Ｌの液晶表示器５３の前眼部像ＥＬ′及び輝点像ＥＰを視認しながら、左眼ＥＬの瞳孔中心である輝点像ＥＰが液晶表示器５３の中心（ＣＣＤ４６の中心Ｏ即ち光軸ＯＬと一致）ＯＬａに対して左右方向の自動アライメントが可能な所定範囲内に入るように、ジョイステックレバー１２を左右に傾動操作すると、傾動センサ１２ｂの出力信号から、Ｘ（左右）方向駆動装置２６を正転又は逆転駆動させて、左眼屈折力測定ユニット１６Ｌを左右に移動制御する。
【００３４】
また、演算制御回路６３は、ジョイステックレバー１２を軸線回りの一方に回動操作又は逆他方に回動操作すると、Ｙ（上下）方向駆動装置２０を正転又は逆転駆動させて、左眼屈折力測定ユニット１６Ｌを上下に移動制御する。従って、被検者４は、眼屈折力測定ユニット１６Ｌの液晶表示器５３の前眼部像及び輝点像ＥＰを視認しながら、左眼ＥＬの瞳孔中心である輝点像ＥＰが液晶表示器５３の中心（ＣＣＤ４６の中心即ち光軸ＯＬと一致）に対して上下方向の自動アライメントが可能な所定範囲内に入るように、ジョイステックレバー１２の軸線回りの回転操作により、被検者４の左眼（被検眼）ＥＬの光軸が左眼屈折力測定ユニット１６ＬのプリズムＰの中心（光軸ＯＬ）に一致するように移動操作する。このプリズムＰの中心（光軸ＯＬ）は、ＣＣＤ４６の中心と一致している。
【００３５】
この様にして、被検者４の左眼ＥＬの輝点像ＥＰが左眼屈折力測定ユニット１６Ｌの液晶表示器５３の中心ＯＬａに対して所定範囲Ｓ１内に入ると、アライメント光束による輝点像ＥＰがＣＣＤ４６の中心Ｏの所定範囲内に入る。
【００３６】
そして、演算制御回路６３は、ＣＣＤ４６からの輝点像の信号がＣＣＤ４６の中心の所定範囲内に入ると、被検者４の左眼の光軸が左眼屈折力測定ユニット１６ＬのプリズムＰの中心（光軸ＯＬ）に一致する方向に駆動装置２０，２６を駆動制御する。この様な駆動に伴って演算制御回路６３は、被検者４の左眼の光軸が左眼屈折力測定ユニット１６ＬのプリズムＰの中心（光軸ＯＬ）に一致するか略一致する許容範囲Ｓ２（測定可能範囲）内に入ると、駆動装置２０，２６の作動を停止させて、左眼屈折力測定ユニット１６Ｌの左眼ＥＬに対するＸＹアライメントを完了する。
(b).左眼屈折力測定ユニット１６Ｌの左眼ＥＬに対するＺ方向アライメント
演算制御回路６３は、左眼屈折力測定ユニット１６Ｌの左眼ＥＬに対するＸＹアライメントを完了すると、ＣＣＤ４６の輝点像が有る程度鮮明になるようにＺ（前後）方向駆動装置２４を駆動制御して、左眼屈折力測定ユニット１６Ｌを光軸ＯＬ方向（前後方向）に移動制御する。そして、演算制御回路６３は、ＣＣＤ４６の輝点像が有る程度鮮明になったのを、ＣＣＤ４６の出力信号から検知すると、Ｚアライメントが完了したとしてＺ（前後）方向駆動装置２４の駆動を停止させる。
(ii)．右眼屈折力測定ユニット１６Ｒに対するアライメント
この様にして演算制御回路６３は、左眼屈折力測定ユニット１６Ｌの左眼ＥＬに対するＸＹアライメント及びＺアライメントを完了すると、右眼屈折力測定ユニット１６Ｒの右眼ＥＲに対するＸＹアライメント及びＺアライメントを、左眼屈折力測定ユニット１６Ｌと同様にして行う。
【００３７】
以上、この被検者に対する検眼測定ユニットの光軸のアライメントを行うときには、被検者４がジョイステックレバー１２を傾動操作して所定範囲Ｓ１、すなわち、オートアライメントが実行される範囲Ｓ１に検眼測定ユニット（装置本体）の光軸が入るようにしたが、これに限るものではなく、以下に説明する構成を採用することもできる。
＜アライメントの別の構成＞
ここでは、演算制御回路６２が自動アライメントを実行できるか否かの判断をする判断手段を有する。すなわち、被検者４が額当て１５に額を当てた状態で自動アライメントが実行できる範囲に装置本体があるか否かを最初に演算制御回路６２に判断させる。
【００３８】
この演算制御回路６２に自動アライメントが可能か否かの判断を開始させるための判断開始手段として、例えば、額当て１５に額が当たったことを感知する感知センサ１５’を設ける。なお、額当て１５に感知センサを設ける代わりに顎受け（図示を略す）に感知センサを設けても良いし、演算制御回路６２に判断を開始させるためのスタートボタンを設けても良い。
【００３９】
この検眼装置では、演算制御回路６２が自動アライメントを実行可能と判断したときには、そのまま自動アライメントを実行し、自動アライメントを実行不可能と判断したときには、図２０に示すように、液晶表示器５３に「オートアライメントを実行できません。輝点ＥＰが所定範囲Ｓ１に入るようにジョィステックレバー１２を操作してください。」とのメッセージが文字で表示される。
【００４０】
このメッセージを文字で液晶表示器５３に表示する代わりに音声でこのメッセージを被検者に伝達するようにしても良い。
【００４１】
被検者４がジョィステックレバー（手動アライメント手段）１２又はカーソルキー８〜１１を操作して、所定範囲Ｓ１に輝点像ＥＰが入って、自動アライメントの実行が可能となったときには、液晶表示器５３に「オートアライメントが実行可能な範囲に入りました。ジョイステックレバー１２の操作を停止してください。」とのメッセージが文字で表示される。
【００４２】
眼鏡レンズ２４を装用している場合には、眼鏡レンズ２４をはずした状態で検眼測定を受けることになるので、眼鏡レンズ測定装置（図示を略す）の測定データを利用して、液晶表示器５３と反射ミラー５４との間に視度補正レンズ（図示を略す）を挿入して、視度調整することにより、液晶表示器５３の文字を明瞭に認識させるようにすると良い。
【００４３】
この文字の代わりに、このメッセージを音声で被検者に伝達するようにしても良いし、固視標の種類を変えてこれを知得させるようにしても良い。更に、固視標の明るさを自動アライメントが実行可能な範囲内にないときには暗くし、自動アライメントが実行可能な範囲内に入ったときには明るくするように変化させるか、固視標の色を黄色から白に変化させるようにしてこれを知得させるようにしても良い。
【００４４】
検眼測定ユニット１６Ｌ、１６ＲのプリズムＰ、Ｐの中心間距離Ｌ１（図３参照）は例えば被検者の大人の平均瞳孔間距離に測定開始前にリセットしておくのが望ましい。
【００４５】
このように、被検者の平均瞳孔間距離に検眼測定ユニット１６Ｌ、１６Ｒの位置を設定しておくと、被検者が額当て１５に額を当てたときに自動アライメントを実行できる確率が高くなって望ましい。
【００４６】
また、演算制御回路６２のモニター画面にどのような状態であったら自動アライメントが実行できず、どのような状態であったらオートアライメントが実行できる状態であったかを示す説明画面を測定開始前に提示して、被検者に知得させるようにしても良い。
【００４７】
また、どのような操作を被検者が行わなければならないかを説明する説明画面を表示させるようにしても良い。
【００４８】
更に、被検者にアライメントがどのようにして行われるかをナレーション付きで動画であらかじめ知得させるようにしても良い。
【００４９】
なお、被検者が顧客カード（図示を略す）を所有している場合には、顧客カードにアライメント情報を記憶させ、この顧客カードに記憶されているアライメント情報をカードリーダー（図示を略す）に読みとらせて、このアライメント情報に基づいて検眼測定ユニット１６Ｌ、１６Ｒを初期位置にセットすることも可能である。
【００５０】
なお、眼鏡レンズ測定装置（レンズメーター）で測定されたフレームＰＤを用いることができる場合には、このフレームＰＤを用いて、検眼測定ユニット１６Ｌ、１６Ｒを初期位置にセットさせるようにしても良い。
【００５１】
また、フレームＰＤを用いることができない場合には、子供から大人まで、年齢を入力させることにより、年齢別に応じて、検眼測定ユニット１６Ｌ、１６Ｒを初期位置を変更設定するようにしても良い。
【００５２】
また、上下方向のアライメントの高さも、年齢によって検眼測定ユニット１６Ｌ、１６Ｒを初期位置を変更設定できるようにしても良い。
【００５３】
更に、ＣＣＤ４６で得られた前眼部像を液晶表示器５３に表示させる代わりに、図２１に示すように被検眼の位置を示す移動指標としてのリング指標９８を液晶表示器５３に提示させ、固視標として液晶表示器５３に提示されている赤い家９９がリング指標９８によって囲まれるように、ジョイステックレバー１２を操作して、粗アライメントを被検者に行わせるようにしても良い。
（３）遠方視状態における眼屈折力の同時測定
ところで、固視光学系３２Ｌの移動レンズ５７は、パルスモータ（駆動手段）ＰＭａで光軸Ｏの延びる方向に進退駆動されるようになっている。
しかも、液晶表示器５３は、測定前には初期位置、即ち屈折力測定光学系３３Ｌ，３３Ｒで測定される眼屈折力が０Ｄ（「０」ディオプター）となる位置に位置させられている。固視光学系３２Ｒも同様になっている。
【００５４】
そして、演算制御回路６３は、（１），（２）のアライメントが完了すると、屈折力測定光学系３３Ｌの演算制御回路６２及び屈折力測定光学系３３Ｒの演算制御回路６２をそれぞれ作動制御して、左右の屈折力測定光学系３３Ｌ，３３Ｒの測定用光源６４，６４をそれぞれ点灯させて、この測定用光源６４，６４から赤外の測定光束を出射させ、被検者４の左眼ＥＬ及び右眼ＥＲの眼屈折力の測定を同時に開始する。この際、測定は左眼ＥＬも右眼ＥＲも同じようにして行われるので、左眼ＥＬの測定について説明し、右眼の測定に説明を省略する。
(i)左眼ＥＬの眼屈折力測定
この際、液晶表示器５３に表示された固視標の光は、反射ミラー５４，コリメータレンズ５５，反射ミラー５６，移動レンズ５７，リレーレンズ５８，５９，反射ミラー６０，ダイクロイックミラー６１，３９，対物レンズ３８及びプリズムＰを介して、被検者４の左眼ＥＬの眼底Ｅｆに投影される。
【００５５】
また、左屈折力測定光学系３３Ｌの測定用光源６４からの測定光束は、測定光束投影光学系６２を介して被検者４の左眼ＥＬの眼底Ｅｆに投影される。即ち、左屈折力測定光学系３３Ｌの測定用光源６４からの測定光束は、左屈折力測定光学系３３Ｌのコリメータレンズ６５，円錐プリズム６６を介してリング視標６７に導かれる。そして、リング視標６７を透過したリング状の測定光束が、リレーレンズ６８，リング状絞り６９，中央に透孔７０ａが形成された穴あきプリズム７０，ダイクロイックミラー６１，３９、対物レンズ３８及びプリズムＰを介して被検者４の左眼ＥＬの眼底Ｅｆに投影される。
【００５６】
一方、左眼ＥＬの眼底Ｅｆに投影されたリング状の測定光束（リング状視標光）は眼底Ｅｆで反射する。この反射光は、測定光束受光光学系６３、即ち屈折力測定光学系３３ＬのプリズムＰ，対物レンズ３８，ダイクロイックミラー３９，６１，穴あきプリズム７０の透孔７０ａ，反射ミラー７１，リレーレンズ７２，移動レンズ７３，反射ミラー７４，ダイクロイックミラー４４，ＣＣＤレンズ４５等を介してＣＣＤ４６にリング状反射像が結像される。
【００５７】
このＣＣＤ４６からの検出信号は左屈折力測定光学系３３Ｌの演算制御回路６２に入力される。この演算制御回路６２は、ＣＣＤ４６からの検出信号が入力されると、ＣＣＤ４６に結像されたリング状反射像の大きさ形状と基準のリング状反射像の大きさ形状とから、左眼ＥＬの眼屈折力を測定する。この際、左眼ＥＬに調節力が働いているか否かが分からないので、即ち、左眼ＥＬに調節力が働いているかもしれないので、屈折測定で得られた眼屈折力が例えば３Ｄのときには１．５Ｄをプラスして、４．５Ｄの位置に固視標が表示された液晶表示器５３が来るように、パルスモータＰＭａを駆動制御して移動レンズ５７を光軸Ｏの延びる方向に進退駆動させる。
【００５８】
そして、この位置で左眼ＥＬの眼屈折力を上述の様にして測定する。この際の測定結果が例えば４Ｄの時には、前回の測定で得られた眼屈折力３Ｄと今回の測定で得られた眼屈折力し４Ｄとの差が１Ｄあるので、左眼ＥＬには調節力があることが分かる。従って、演算制御回路６３は、今回の測定で得られた４Ｄに１．５Ｄをプラスして５．５Ｄとし、５．５Ｄの位置に液晶表示器５３が来るように、パルスモータＰＭａを駆動制御することにより移動レンズ５７を光軸Ｏの延びる方向に進退駆動させて、液晶表示器５３を４．５Ｄの位置まで雲霧させ、再度左眼ＥＬの眼屈折力を測定する。
【００５９】
更に、この測定結果が例えば４．２５Ｄの時には、前回の測定で得られた眼屈折力４Ｄと今回の測定で得られた眼屈折力４．２５Ｄとの差が０．２５Ｄであるので、左眼ＥＬの調節力が略無くなったとすることができる。
【００６０】
即ち、上述のように、ラフ測定を順次繰り返して行い、前回測定により得られた眼屈折力と今回測定により得られた眼屈折力との差が、例えば０．２５Ｄと殆ど無くなったときには、左眼ＥＬの調節力が略無くなったとすることができる。しかも、液晶表示器５３が４．２５Ｄの位置では、左眼ＥＬは液晶表示器５３を鮮明に視認できる状態にあるので、この液晶表示器５３が鮮明に視認できる移動レンズ５７の位置を本測定の雲霧開始位置する。
【００６１】
そして、演算制御回路６２は、このラフ測定による最終的な眼屈折力が４．２５Ｄの値に１．５Ｄをプラスして５．７５Ｄとし、この４．２５Ｄの位置から５．７５Ｄの位置に液晶表示器５３が来るように、移動レンズ５７を光軸方向に移動させることにより液晶表示器５３を雲霧させて、本測定を行う。即ち、演算制御回路６２は、パルスモータＰＭａを駆動制御して移動レンズ５７を光軸Ｏの延びる方向に移動させて、液晶表示器５３が４．２５Ｄの位置から５．７５Ｄの位置に来るようにすることにより、左眼ＥＬが視認している液晶表示器５３がぼやける位置まで雲霧させて、左屈折力測定光学系３３Ｌにより左眼ＥＬの眼屈折力を測定する。この雲霧を伴う眼屈折力の本測定は数回行って平均値を左眼ＥＬの眼屈折力とする。
(ii)右眼ＥＲの眼屈折力測定
右眼ＥＲの眼屈折力も、(i)の左眼ＥＬの眼屈折力の測定と同様な手順で、左眼ＥＬと同時に測定される。
(iii)従って、この様に左眼ＥＬ及び右眼ＥＲの眼屈折力を同時に測定することにより、左眼ＥＬと右眼ＥＲの眼屈折力を片眼づつ測定した場合に比べて左眼ＥＬと右眼ＥＲの調節力がより少ない状態で、左眼ＥＬ及び右眼ＥＲの眼屈折力を正確に測定できる。
【００６２】
即ち、左眼ＥＬと右眼ＥＲの眼屈折力を片眼づつ測定した場合、左眼ＥＬと右眼ＥＲのうち測定していない方の眼の調節力が測定している方の眼の調節力に影響を与える虞がある。しかし、左眼ＥＬ及び右眼ＥＲの眼屈折力を同時に測定することにより、左眼ＥＬと右眼ＥＲの調節力が影響し合うようなことが無くなるので、左眼ＥＬと右眼ＥＲの調節力がより少ない状態で、左眼ＥＬ及び右眼ＥＲの眼屈折力を正確に測定できる。
(4).内方視（輻輳）状態から遠方視状態へ移動後の眼屈折力の同時測定
上述した（３）におけるように、遠方視状態での左右眼の眼屈折力の同時測定時には、左右眼の調節力が殆どない状態となっているが、内方視（光軸ＯＬ，ＯＲが輻輳している状態）状態から遠方視状態（光軸ＯＬ，ＯＲが平行な状態）へ移動後に眼屈折力を同時に測定することで、左右眼の調節力を更に少なくしてより正確な眼屈折力の測定を行うことができる。
【００６３】
この測定に際しては、まず図９の左眼ＥＬ及び右眼ＥＲが遠方視状態（光軸ＯＬ，ＯＲが平行な状態）から内方視（光軸ＯＬ，ＯＲが輻輳している状態）状態にする。例えば、図９の左眼ＥＬ及び右眼ＥＲが遠方視状態（光軸ＯＬ，ＯＲが平行な状態）から被検者４の左眼ＥＬ及び右眼ＥＲが約７５ｃｍ前方を見ている状態にして、左眼ＥＬ及び右眼ＥＲが輻輳している状態にする。
(i)．初期輻輳状態から光軸ＯＬ，ＯＲを平衡状態にしたときの眼屈折力測定
＜初期位置への輻輳＞
このためには、演算制御回路６３は、演算制御回路６２，６２を介して眼屈折力測定ユニット１６Ｌ，１６Ｒの駆動装置２８，２８を作動制御して、眼屈折力測定ユニット１６Ｌ，１６Ｒを図９の状態から矢印Ａ，Ａの方向に水平回動させて、図１６，図１７に示したように光軸ＯＬ，ＯＲを角度αとなるように輻輳させる。
【００６４】
この際、眼屈折力測定ユニット１６Ｌの演算制御回路６２は、眼屈折力測定ユニット１６ＬのＣＣＤ４６からのアライメント用の輝点像のアドレス及びコントラスト等から、眼屈折力測定ユニット１６Ｌの駆動装置２４及び２６を作動制御して、眼屈折力測定ユニット１６Ｌの左眼ＥＬまでの作動距離が一定となるように制御する。一方、眼屈折力測定ユニット１６Ｒの演算制御回路６２は、眼屈折力測定ユニット１６ＲのＣＣＤ４６からのアライメント用の輝点像のアドレス及びコントラスト等から、眼屈折力測定ユニット１６Ｒの駆動装置２４及び２６を作動制御して、眼屈折力測定ユニット１６Ｒの右眼ＥＲまでの作動距離が一定となるように制御する。
【００６５】
尚、角度αの輻輳位置に眼屈折力測定ユニット１６Ｌ，１６Ｒの液晶表示器５３，５３があるとき、この位置が例えば−８Ｄに相当するとする。
＜初期輻輳状態から光軸ＯＬ，ＯＲを平衡状態へ＞
この輻輳状態から、演算制御回路６３は、眼屈折力測定ユニット１６Ｌ，１６Ｒは演算制御回路６２，６２を作動制御して、演算制御回路６２，６２によりパルスモータＰＭａ，ＰＭａを同時に駆動制御させて、移動レンズ５７を光軸Ｏ方向に移動させ、眼屈折力測定ユニット１６Ｌ，１６Ｒの液晶表示器５３，５３を−８Ｄに１．５Ｄをプラスした−６．５Ｄの位置まで雲霧させる。
【００６６】
この際、演算制御回路６３は、演算制御回路６２，６２を作動制御して、演算制御回路６２，６２により眼屈折力測定ユニット１６Ｌ，１６Ｒの駆動装置２８，２８を駆動制御させ、眼屈折力測定ユニット１６Ｌ，１６Ｒを図１７の矢印Ｂ，Ｂ方向に水平回動させる。この演算制御回路６２，６２による駆動装置２８，２８を駆動制御は、眼屈折力測定ユニット１６Ｌ，１６Ｒの光軸ＯＬ，ＯＲが平行となるまで行わせる。
【００６７】
しかも、この様な駆動制御に際して、眼屈折力測定ユニット１６Ｌの演算制御回路６２は、眼屈折力測定ユニット１６ＬのＣＣＤ４６からのアライメント用の輝点像のアドレス及びコントラスト等から、眼屈折力測定ユニット１６Ｌの駆動装置２４及び２６を作動制御して、眼屈折力測定ユニット１６Ｌの左眼ＥＬまでの作動距離が一定となるように制御する。一方、眼屈折力測定ユニット１６Ｒの演算制御回路６２は、眼屈折力測定ユニット１６ＲのＣＣＤ４６からのアライメント用の輝点像のアドレス及びコントラスト等から、眼屈折力測定ユニット１６Ｒの駆動装置２４及び２６を作動制御して、眼屈折力測定ユニット１６Ｒの右眼ＥＲまでの作動距離が一定となるように制御する。
＜眼屈折力のラフ測定＞
そして、眼屈折力測定ユニット１６Ｌの演算制御回路６２は、この様な駆動装置２４，２６，２８の駆動制御により、光軸ＯＬ，ＯＲが平行になると共に、パルスモータＰＭａの駆動制御により、移動レンズ５７が光軸方向に移動させられて、液晶表示器５３が−６．５Ｄの位置まで雲霧させられたとき、屈折力測定光学系３３Ｌの測定用光源６４を点灯させて、左眼ＥＬの眼屈折力のラフ（粗い）な測定を行う。
【００６８】
これと共に眼屈折力測定ユニット１６Ｒの演算制御回路６２は、上述の様な駆動装置２４，２６，２８の駆動制御により光軸ＯＬ，ＯＲが平行になると共に、パルスモータＰＭａの駆動制御により、移動レンズ５７が光軸方向に移動させられて、液晶表示器５３が−６．５Ｄの位置まで雲霧させられたとき、屈折力測定光学系３３Ｒの測定用光源６４をを点灯させて、左眼ＥＬの眼屈折力のラフ（粗い）な測定を行う。
【００６９】
この様な測定において、左眼ＥＬの屈折力の値が例えば−６Ｄであり、右眼ＥＲの屈折力の値が例えば−５Ｄであったとすると、この値は左右眼ＥＬ，ＥＲとも調節力があるときの値であるかもしれない。
(ii)光軸ＯＬ，ＯＲの測定値の位置への輻輳状態から平衡状態へ移動しての測定＜測定値の位置への輻輳＞
従って、演算制御回路６３は、演算制御回路６２，６２を介して眼屈折力測定ユニット１６Ｌ，１６Ｒの駆動装置２８，２８を個別に作動制御して、眼屈折力測定ユニット１６Ｌ，１６Ｒを図９の状態から矢印Ａ，Ａの方向に個別に水平回動させて、図１６（ｂ）に▲２▼、▲２▼′で示したように光軸ＯＬ，ＯＲを独立に輻輳させて、眼屈折力測定ユニット１６Ｌの移動レンズ５７を光軸方向に移動させて液晶表示器５３を図１６（ａ）の−６Ｄの位置に位置させ、眼屈折力測定ユニット１６Ｒの液晶表示器５３を図１６（ａ）の−５Ｄの位置に位置させる。
＜輻輳状態から光軸ＯＬ，ＯＲを平衡状態へ＞
この輻輳状態から、左眼屈折力測定ユニット１６Ｌの演算制御回路６２は、左眼屈折力測定ユニット１６ＬのパルスモータＰＭａを駆動制御して、移動レンズ５７を光軸Ｏ方向に移動させ、眼屈折力測定ユニット１６Ｌの液晶表示器５３を−６Ｄに１．５Ｄをプラスした−４．５Ｄの位置まで雲霧させる。一方、右眼屈折力測定ユニット１６Ｒの演算制御回路６２は、左眼屈折力測定ユニット１６ＲのパルスモータＰＭａを駆動制御して、移動レンズ５７を光軸Ｏ方向に移動させ、眼屈折力測定ユニット１６Ｒの液晶表示器５３を−５Ｄに１．５Ｄをプラスした−３．５Ｄの位置まで雲霧させる。
【００７０】
この際、演算制御回路６３は、演算制御回路６２，６２を作動制御して、演算制御回路６２，６２により眼屈折力測定ユニット１６Ｌ，１６Ｒの駆動装置２８，２８を駆動制御させ、眼屈折力測定ユニット１６Ｌ，１６Ｒを図１７の矢印Ｂ，Ｂ方向に水平回動させる。この演算制御回路６２，６２による駆動装置２８，２８を駆動制御は、眼屈折力測定ユニット１６Ｌ，１６Ｒの光軸ＯＬ，ＯＲが平行となるまで行わせる。しかも、この際、上述したように各演算制御回路６２は駆動装置２４及び２６を作動制御して、眼屈折力測定ユニット１６Ｌ，１６Ｒの左眼ＥＬ及び右眼ＥＲまでの作動距離がそれぞれ一定となるように制御する。
＜眼屈折力のラフ測定＞
そして、眼屈折力測定ユニット１６Ｌの演算制御回路６２は、光軸ＯＬ，ＯＲが平行になると共に、パルスモータＰＭａの駆動制御により、移動レンズ５７が光軸方向に移動させられて、液晶表示器５３が−４．５Ｄの位置まで雲霧させられたとき、屈折力測定光学系３３Ｌの測定用光源６４をを点灯させて、左眼ＥＬの眼屈折力のラフ（粗い）な測定を行う。
【００７１】
これと共に眼屈折力測定ユニット１６Ｒの演算制御回路６２は、光軸ＯＬ，ＯＲが平行になると共に、パルスモータＰＭａの駆動制御により、移動レンズ５７が光軸方向に移動させられて、液晶表示器５３が−３．５Ｄの位置まで雲霧させられたとき、屈折力測定光学系３３Ｒの測定用光源６４をを点灯させて、左眼ＥＬの眼屈折力のラフ（粗い）な測定を行う。
【００７２】
この様な測定において、左眼ＥＬの屈折力の値が例えば−４Ｄであり、右眼ＥＲの屈折力の値が例えば−３Ｄであったとすると、この値は左右眼ＥＬ，ＥＲとも調節力があるときの値であるかもしれない。
(iii)．繰り返しラフ測定
この場合、左眼ＥＬにおいては、前回測定した眼屈折力の値が−６Ｄであり、今回測定した眼屈折力の値が−４Ｄであるので、前回と今回の眼屈折力の差が−２Ｄと大きく開いており、調節力が働いている。また、右眼ＥＲにおいては、前回測定した眼屈折力の値が−５Ｄであり、今回測定した眼屈折力の値が−３Ｄであるので、前回と今回の眼屈折力の差が−２Ｄと大きく開いており、調節力が働いている。
【００７３】
従って、この場合には上述の(ii)の様にして、図１６（ｂ）に▲３▼、▲３▼′で示したように光軸ＯＬ，ＯＲを独立に輻輳させて、眼屈折力測定ユニット１６Ｌの移動レンズ５７を光軸方向に移動させて、液晶表示器５３を図１６（ａ）の−４Ｄの位置に位置させ、眼屈折力測定ユニット１６Ｒの移動レンズ５７を光軸方向に移動させて、液晶表示器５３を図１６（ａ）の−３Ｄの位置に位置させる。
【００７４】
この輻輳状態から、(ii)の様にして、眼屈折力測定ユニット１６Ｌの移動レンズ５７を光軸方向に移動させて、液晶表示器５３を−４Ｄに１．５Ｄをプラスした−２．５Ｄの位置まで雲霧させて、左眼ＥＬの眼屈折力のラフ（粗い）な測定を行うと共に、眼屈折力測定ユニット１６Ｒの移動レンズ５７を光軸方向に移動させて、液晶表示器５３を−３Ｄに１．５Ｄをプラスした−１．５Ｄの位置まで雲霧させて、右眼ＥＲの眼屈折力のラフ（粗い）な測定を行う。
【００７５】
この様な測定において、左眼ＥＬの屈折力の値が例えば−３Ｄであり、右眼ＥＲの屈折力の値が例えば−１Ｄであったとすると、この値は左右眼ＥＬ，ＥＲとも調節力があるときの値であるかもしれない。
【００７６】
この場合、左眼ＥＬにおいては、前回測定した眼屈折力の値が−４Ｄであり、今回測定した眼屈折力の値が−３Ｄであるので、前回と今回の眼屈折力の差が−１Ｄと大きく開いており、調節力が働いている。また、右眼ＥＲにおいては、前回測定した眼屈折力の値が−３Ｄであり、今回測定した眼屈折力の値が−１Ｄであるので、前回と今回の眼屈折力の差が−２Ｄと大きく開いており、調節力が働いている。
【００７７】
従って、この場合には上述の(ii)の様にして、図１６（ｂ）に▲４▼、▲４▼′で示したように光軸ＯＬ，ＯＲを独立に輻輳させて、眼屈折力測定ユニット１６Ｌの移動レンズ５７を光軸方向に移動させて、液晶表示器５３を図１６（ａ）の−３Ｄの位置に移動させ、眼屈折力測定ユニット１６Ｒの移動レンズ５７を光軸方向に移動させて、液晶表示器５３を図１６（ａ）の−１Ｄの位置に移動させる。
【００７８】
この輻輳状態から、(ii)の様にして、眼屈折力測定ユニット１６Ｌの移動レンズ５７を光軸方向に移動させて、液晶表示器５３を−３Ｄに１．５Ｄをプラスした−１．５Ｄの位置まで雲霧させて、左眼ＥＬの眼屈折力のラフ（粗い）な測定を行うと共に、眼屈折力測定ユニット１６Ｒの移動レンズ５７を光軸方向に移動させて、液晶表示器５３を−１Ｄに１．５Ｄをプラスした０．５Ｄの位置まで雲霧させて、右眼ＥＲの眼屈折力のラフ（粗い）な測定を行う。
【００７９】
この様な測定において、左眼ＥＬの屈折力の値が例えば−２．７５Ｄであったとすると、左眼ＥＬの前回測定した眼屈折力の値が−３Ｄであるので、前回と今回の眼屈折力の差が−０．２５Ｄと略同じになっており、調節力が殆ど働いていない状態となる。また、この様な測定において、右眼ＥＲの屈折力の値が例えば−０．７５Ｄであったとすると、右眼ＥＲの前回測定した眼屈折力の値が−１Ｄであるので、前回と今回の眼屈折力の差が−０．２５と略同じになっており、調節力が殆ど働いていない状態となる。
(iV)．本測定
従って、この場合には上述の(ii)の様にして、光軸ＯＬ，ＯＲを独立に輻輳させて、眼屈折力測定ユニット１６Ｌの移動レンズ５７を光軸方向に移動させて、液晶表示器５３を図１６（ａ）の−２．７５Ｄの位置に位置させ、眼屈折力測定ユニット１６Ｒの移動レンズ５７を光軸方向に移動させて、液晶表示器５３を図１６（ａ）の−０．７５Ｄの位置に位置させる。
【００８０】
この輻輳状態から、(ii)の様にして、眼屈折力測定ユニット１６Ｌの移動レンズ５７を光軸方向に移動させて、液晶表示器５３を−２．７５Ｄに１．５Ｄをプラスした−１．２５Ｄの位置まで雲霧させて、左眼ＥＬの眼屈折力の本測定を行うと共に、眼屈折力測定ユニット１６Ｒの移動レンズ５７を光軸方向に移動させて、液晶表示器５３を−０．７５に１．５Ｄをプラスした０．７５Ｄの位置まで雲霧させて、右眼ＥＲの眼屈折力の本測定を行う。
（５）その他
以上説明した実施例では、ジョイステックレバー１２で眼屈折力測定ユニット１６Ｌ、１６Ｒの駆動装置２０，２４，２６等を駆動制御するようにしたが、必ずしも之に限定されるものではない。
【００８１】
たとえば、Ｙ方向駆動装置２０は設けずに、駆動装置２４，２６のみとして、カーソルキー９を操作することで駆動装置２４を正転駆動制御して、眼屈折力測定ユニット１６Ｌ（１６Ｒ）を後方に移動させ、カーソルキー１１を操作することで駆動装置２４を逆転駆動制御して、眼屈折力測定ユニット１６Ｌ（１６Ｒ）を前方に移動させる様にすると共に、カーソルキー８を操作することで駆動装置２６を正転駆動制御して、眼屈折力測定ユニット１６Ｌ（１６Ｒ）を左方に移動させ、カーソルキー１０を操作することで駆動装置２６を逆転駆動制御して、眼屈折力測定ユニット１６Ｌ（１６Ｒ）を右方に移動させる様にしても良い。この場合、Ｙ方向（上下方向）の高さは、テーブル１の高さ又は椅子３の高さを調節することで対応する。
【００８２】
また、以上説明した実施例では、眼屈折力測定ユニット１６Ｌ，１６Ｒの間隔を手動で瞳孔間距離なる様に個別に駆動操作するようにしたが、被検者の瞳孔間距離が分かっている場合には必ずしもこの構成にのみ限定されるものではない。例えば、この構成に加えて、被検者の瞳孔間距離が分かっている場合、或いはこのデータが有る場合には、この瞳孔間距離又はそのデータを演算制御回路６３に入力し、眼屈折力測定ユニット１６Ｌ，１６Ｒの光軸ＯＬ，ＯＲの間隔を瞳孔間距離に設定制御する様にしても良い。即ち、演算制御回路６３は、被検者の瞳孔間距離のデータが入力されると、眼屈折力測定ユニット１６Ｌ，１６Ｒの演算制御回路６２，６２を作動制御して、演算制御回路６２，６２により眼屈折力測定ユニット１６Ｌ，１６Ｒの駆動装置２６，２６を作動制御し、眼屈折力測定ユニット１６Ｌ，１６Ｒの光軸ＯＬ，ＯＲを平行にしたときの間隔が被検者の瞳孔間距離となるように設定制御しても良い。
【００８３】
【発明の効果】
本発明によれば、被検者自身に検眼測定を行わせるためのキーポイントとなるアライメントを容易に知得させることができる。
【図面の簡単な説明】
【図１】この発明にかかる眼屈折力測定装置の配置例を示す説明図である。
【図２】図１に示した眼屈折力測定装置の拡大斜視図である。
【図３】図２の眼屈折力測定装置の正面図である。
【図４】図３の眼屈折力測定装置の平面図である。
【図５】図３の眼屈折力測定装置の左側面図である。
【図６】図３の眼屈折力測定装置の右側面図である。
【図７】図２に示した眼屈折力測定ユニットの支持構造を示す断面図である。
【図８】図７に示した支持構造を下方から見た説明図である。
【図９】図２に示した眼屈折力測定ユニットの光学系を示す説明図である。
【図１０】図７の左眼屈折力測定ユニットの拡大説明図である。
【図１１】図１０の光学系を正面側から見たときの光学部品の配置図である。
【図１２】図７の右眼屈折力測定ユニットの拡大説明図である。
【図１３】図１２の光学系を正面側から見たときの光学部品の配置図である。
【図１４】図２〜図１３に示した眼屈折力測定装置の制御回路図である。
【図１５】図１〜図１４に示した眼屈折力測定装置の遠方視状態における屈折力測定の説明図である。
【図１６】（ａ）、（ｂ）は、図１〜図１４に示した眼屈折力測定装置の輻輳及び遠方視状態の繰り返しによる屈折力測定の説明図である。
【図１７】図１ないし図１３の眼屈折力測定ユニットを輻輳した状態を示す光学系の説明図である。
【図１８】眼屈折力測定ユニット内のＣＣＤへの結像例を示す説明図である。
【図１９】眼屈折力測定ユニット内の液晶表示器の表示例を示す説明図である。
【図２０】粗アライメント時の液晶表示器へのメッセージの一例を示す図である。
【図２１】粗アライメント時の液晶表示器へのメッセージの他の例を示す図である。
【符号の説明】
１２…ジョイステックレバー１２（手動アライメント手段）
１６Ｌ…左眼屈折力測定ユニット（検眼測定ユニット）
１６Ｒ…右眼屈折力測定ユニット（検眼測定ユニット）
３０ｌ，３０Ｒ…撮影光学系
５３…液晶表示器
４６…ＣＣＤ（撮像手段）
６４…演算制御回路（判断手段）
【図１】
0004521964.tif 000002
【図２】
0004521964.tif 000003
【図３】
0004521964.tif 000004
【図４】
0004521964.tif 000005
【図５】
0004521964.tif 000006
【図６】
0004521964.tif 000007
【図７】
0004521964.tif 000008
【図８】
0004521964.tif 000009
【図９】
0004521964.tif 000010
【図１０】
0004521964.tif 000011
【図１１】
0004521964.tif 000012
【図１２】
0004521964.tif 000013
【図１３】
0004521964.tif 000014
【図１４】
0004521964.tif 000015
【図１５】
0004521964.tif 000016
【図１６】
0004521964.tif 000017
【図１７】
0004521964.tif 000018
【図１８】
0004521964.tif 000019
【図１９】
0004521964.tif 000020
【図２０】
0004521964.tif 000021
【図２１】
0004521964.tif 000022